(57)【要約】【課題】積層タップが使用時に、該積層タップの先端部に、チョークの付着がよく、皮等のシート材どうしを接着する接着剤の塗布面積が従来より広く、剥がれ難い積層タップを開発・提供することにある。【解決手段】ビリヤード用キュースティック（Ｘ）の先端に装着するビリヤードタップであって、複数枚のシート材（１）を、それぞれ接着剤（２）を介して積層した積層タップ本体（Ｔ）を設け、該本体（Ｔ）の先端面（Ｓ）が、周辺部に比べて中心部を膨出したアール状に形成したことを特徴とするビリヤードタップから構成されており、シート材（１）の素材は、天然の牛革、豚革、あるいは合成皮革から選ばれたものであり、タップ本体（Ｔ）の先端面（Ｓ）の形状が、アール状が、半球状、伏椀状、紡錘状から選ばれた形状であるものから構成される。【選択図】  図１
2010227189.tif 000002
【特許請求の範囲】
【請求項１】
ビリヤード用キュースティック（Ｘ）の先端に装着するビリヤードタップであって、複数枚のシート材（１）を、それぞれ接着剤（２）を介して積層して積層タップ本体（Ｔ）を設け、該本体（Ｔ）の先端面（Ｓ）が、周辺部に比べて中心部を膨出したアール状に形成したことを特徴とするビリヤードタップ。
【請求項２】
シート材（１）の素材が、天然の牛革、豚革、あるいは合成皮革であることを特徴とする請求項１記載のビリヤードタップ。
【請求項３】
接着剤（２）が、通常の接着剤、あるいは、弾力性を有する接着剤から選ばれたものであることを特徴とする請求項１記載のビリヤードタップ。
【請求項４】
積層タップ本体（Ｔ）の先端面（Ｓ）のアール状が、半球状、伏椀状、紡錘状から選ばれた形状であることを特徴とする請求項１記載のビリヤードタップ。
【請求項５】
積層タップ本体（Ｔ）の先端面（Ｓ）のアール状を、該アール状の曲がり角度の異なる複数の本体（Ｔ）を設けておくことを特徴とする請求項１または４記載のビリヤードタップ。
【発明の詳細な説明】
【技術分野】
【０００１】
この発明は、ビリヤードタップに関するものである。
【背景技術】
【０００２】
従来、ビリヤードにおいて、使用するビリヤード用キューステックの先端部に装着するビリヤードタップ（以下、単にタップという）は、複数枚の天然の皮を、それぞれ接着剤を介して円柱形に積層・接着している。
【０００３】
天然の皮革は、生き物の皮であり、皮の内部に脂肪分があったりし、均一な部分を取り利用することが困難であり、薄くスライスすることによって、皮の悪い部分を表・裏面から容易に判断できるため、この薄くスライスした良質の皮を積層・接着した，積層タップとすることにより不良品を排除して、品質が均一なタップを使用者（プレーヤー）に提供している。
【０００４】
そして、この積層タップは、使用時に先端部を頻繁にアール状に削って使用しており、この先端部のアール部分にチョークを塗布することにより、防滑してキューステックによって手球をコントロールしている。
【０００５】
しかし、これら複数枚の皮はそれぞれ接着剤を介して積層した積層タップは、先端部をアール状に削った際、接着剤による積層面が、同心円状に露出して見え、そのため、接着剤の積層面の部分には、チョークを付着しても乗らず、従って、この部分の防滑効果が悪いため、積層されたタップ（以下、単に、積層タップという）と手球がグリップせず、ミスを多発するという欠点があった。
【０００６】
また、これらのミスを防ぐために、使用者（プレーヤー）は、積層タップを頻繁に削って接着面の位置を変える工夫を行っているが、これにより積層タップの消耗が速いため、取り替え頻度が上がってしまい、使用者に著しい経済的な負担、また、積層タップを研削する作業が煩雑であり、かつ時間的にも負担を強いるものであった。
【０００７】
さらに、従来の積層タップは、積層した皮どうしが接着面から剥がれてしまうという問題点もあった。
【０００８】
また、ビリヤード競技では，手球に回転を掛けるため積層タップにはＲ（アール）角度が必要であり、このアール角度の大きさを変えることにより、手球の回転の多さと手球の進行方向とカーブの量を調節している。プレーヤーにとって同じアール角度を再現することは難しく、実際には円の中心から点対称になっていないことが多く、その結果、手球の動きが安定しないため、ミスを起こしやすいという欠点もあった。
【０００９】
しかしながら、積層タップには、これらの欠点を有しながら、積層タップに関する特許文献は存在せず、ビリヤードキューに関する特許出願のみが見受けられた。例えば、特許文献１および特許文献２のように。
【先行技術文献】
【特許文献】
【００１０】
【特許文献１】特開２００５−２８７５６０号公報
【特許文献２】特開２００７−１２５１０８号公報
【発明の概要】
【発明が解決しようとする課題】
【００１１】
そこで、この発明が解決しようとする課題は、積層タップが使用時に、該積層タップの先端部に、チョークの付着がよく、皮等のシート材どうしを接着する接着剤の塗布面積が従来より広く、剥がれ難い積層タップを開発・提供することにある。
【課題を解決するための手段】
【００１２】
上記の課題を解決するため、本願の発明者らは、従来、シート材である，積層する皮を平面状態でそれぞれ接着剤を介して積層・接着する方法に変えて、シート材である，皮をアール状態で接着剤を介してそれぞれシート材を積層・接着する積層タップを開発・提供することにある。
【発明の効果】
【００１３】
この発明によると、
１）  使用時に、接着面がタップ本体の先端面に露出しないため、積層タップの表面全体と手球が同一のグリップ力を得ることができ、競技性の向上に貢献できる。
２）  積層するシート材と接着剤の貼り合わせた方向が、アール状、即ち，弧を描いており、積層タップが手球に接触した時、構造上、積層タップ全体がバネのように衝撃を受け止めるため、弾力性を上げることが可能となり、また、接着剤の材質の種類を変える事により、製品としての弾力性を調整することができる。
３）  シート材の面積が、従来の平坦なものに比べ、椀状等のアール状で積層・接着するため、平坦な状態よりアール状の方が接着面積が広く、従って、接着効果が強い。
４）  さらに、積層タップ本体（Ｔ）の先端面（Ｓ）のアール状を、該アール状の曲がり度の異なる複数の本体（Ｔ）を設けておくことにより、使用者が容易に適正なアールを保つ事ができる等の極めて有益なる効果を奏する。
【図面の簡単な説明】
【００１４】
【図１】この発明の一実施例を示し、（ａ）は、積層タップの側面図であり、（ｂ）は、積層タップの平面図であり、（ｃ）は、積層タップの断面図である。
【図２】この発明の積層タップをキュースティックに装着した状態を示す一部欠截正面図である。
【図３】従来例を示し、（ａ）は、積層タップの側面図であり、（ｂ）は、積層タップの平面図であり、（ｃ）は、積層タップの断面図である。
【発明を実施するための形態】
【００１５】
以下、本発明について詳細に説明する。なお、本発明においては、以下の記述に限定されるものではなく、本発明の要旨を逸脱しない範囲においては適宜変更可能である。
【実施例】
【００１６】
本発明の一実施例を図面に基づいて詳述すると、ビリヤード用キュースティック（Ｘ）の先端に装着するビリヤードタップであって、複数枚のシート材（１）を、それぞれ接着剤（２）を介して積層した積層タップ本体（Ｔ）を設け、該本体（Ｔ）の先端面（Ｓ）が、周辺部に比べて中心部を膨出したアール状の略円板状に形成したことを特徴とするビリヤードタップから構成されている。
【００１７】
また、シート材（１）の素材は、天然の牛革、豚革、あるいは合成皮革から選ばれたものであり、その直径や厚み等は問わない。
【００１８】
さらに、シート材（１）を接着する接着剤（２）は、通常の接着剤を用いるが、場合によっては、弾性を有する接着剤を用いる事により、積層タップ本体（Ｔ）は弾性力を有するものとすることも可能である。
【００１９】
尚、積層タップ本体（１）の先端面（Ｓ）の形状が、アール状が、半球状、伏椀状、紡錘状から選ばれた形状であるものから構成される。
【００２０】
また、積層タップ本体（１）は、図２に示すように、ビリヤード用キュースティック（Ｘ）の先端部に固定して使用するものである。
【００２１】
さらに、この発明は、積層タップ本体（Ｔ）の先端面（Ｓ）のアール状を、該アール状の曲がり角度の異なる複数の本体（Ｔ）を設けておくことにより、プレーヤーの好みやプレースタイルによって異なる積層タップのアールを視覚的に捉えることが可能となり、使用者が容易に適正なアールを保つ事ができる。
【産業上の利用可能性】
【００２２】
この発明によると、ビリヤードタップである積層タップの製造技術を確立し、それに基づいて製造・販売することにより、産業上の利用可能性があるものである。
【符号の説明】
【００２３】
１  シート材
２  接着剤
Ｓ  先端面
Ｔ  積層タップ本体
Ｘ  ビリヤード用キュースティック
【図１】
2010227189.tif 000003
【図２】
2010227189.tif 000004
【図３】
2010227189.tif 000005